(57)【要約】      （修正有）【課題】迅速分解が可能なジョイント構造を提供する。【解決手段】迅速分解が可能なジョイント構造は軸棒、スリーブ、ボール及びばねを含み、該軸棒は気動工具上に装置可能な第一端及び凹部を備える第二端を含む。該スリーブは端部を備え、駆動ヘッドを装置することができ、しかも該スリーブ上には径方向孔を備える。該ボールは該径方向孔中において径方向に沿って移動し、しかも軸方向に移動し該軸棒の凹部内に収納され、該軸棒と該スリーブは結合する。該ばねは該スリーブ中に装置され、しかも該スリーブは該軸棒の第二端に向って偏置する。該凹部は第一比較的浅い接触段を含み、該ボールを収納し、しかも該ボールは該スリーブに突出し、該駆動ヘッドと結合する。該凹部は第二比較的深い接触段を含み、該ボールを収納し、しかも該ボールは該スリーブに突出しない。こうして該駆動ヘッドと該迅速分解が可能なジョイントは分離する。【選択図】図２
0003142140.tif 000002
【実用新案登録請求の範囲】
【請求項１】
軸棒、スリーブ、ボール及びばねを含み、
該軸棒は気動工具上に装置可能な第一端と第二端を備え、該第二端上には凹部を形成し、該凹部は第一接触段と第二接触段を含み、該第二接触段は該第一接触段の底端から該第一端に向って延伸し、
該スリーブはスライド可能状態で該軸棒上に嵌合し、しかも第一端及び駆動ヘッドを装置可能な第二ヘッドを含み、該スリーブは該第一端と該第二端を貫通し、しかも該軸棒を貫通させる軸孔を含み、該スリーブの第二端はさらに該軸孔と連通する径方向孔を含み、該径方向孔は該軸棒の凹部に対応し、
該ボールは該スリーブの径方向孔中において径方向に沿って移動し、しかも該ボールは軸方向に移動し、該軸棒の凹部内に収納され、該軸棒と該スリーブは結合し、
該ばねは該スリーブの軸方向孔中に装置され、該スリーブは該軸棒の第二端を偏置し、
該スリーブは該軸棒の軸方向に沿って該軸棒に相対し、該ばねの偏圧を受ける第一位置及び該ばねを圧縮する第二位置の間において移動し、該スリーブが該第一位置まで移動すると、該ボールは該凹部の第一接触段に位置し、しかも該ボールの外側部分は該径方向孔に突出し、該スリーブが該第二位置まで移動すると、該ボールは該凹部の第二接触段に位置し、しかも該径方向孔に突出しないことを特徴とする迅速分解が可能なジョイント構造。
【請求項２】
前記スリーブの第一端の軸方向孔内には拡大部を形成し、しかも該拡大部は端面を備え、該軸棒はさらにその第一端と第二端の間に肩部を含み、該ばねは該拡大部内に位置し、しかも該軸棒の肩部上に抵触する第一端、及び該拡大部の端面上に抵触する第二端を備えることを特徴とする請求項１記載の迅速分解が可能なジョイント構造。
【請求項３】
前記駆動ヘッドは連接孔を備えるスリーブ部と駆動端を含み、該連接孔は該スリーブの第二端に結合し、しかも該連接孔の周囲には凹槽を備え、該スリーブが該第一位置まで移動すると、該ボールは該径方向の外側部分に突出し該凹槽内に結合することを特徴とする請求項１記載の迅速分解が可能なジョイント構造。
【考案の詳細な説明】
【技術分野】
【０００１】
本考案は迅速分解が可能なジョイント構造に関する。特に駆動ヘッドを気動工具に便利に接続することができる迅速分解が可能なジョイント構造に係る。
【背景技術】
【０００２】
駆動ヘッド１が迅速分解が可能なジョイント２上に装置される様子を示す公知の迅速分解が可能なジョイントの局部断面平面図である図１に示すように、該公知の駆動ヘッド１はスリーブ部１１とネジ或いは類似物を駆動可能な駆動部１２を備える。該スリーブ部１１は連接孔１１１を備え、該連接孔１１１の内壁には環状溝１１２を備える。該迅速分解が可能なジョイント２は第一端２１と第二端２２を備える。該第一端２１は気動工具(図示なし)などの手持ち工具上に装置することができ、該第二端２２上には収容室２２１を備える。該収容室２２１内にはばね２３とボール２４を収納する。該駆動ヘッド１の連接孔１１１と該迅速分解が可能なジョイント２の第二端２２が嵌設後、該ばね２３は該ボール２４を偏置し、しかも該ボール２４の外側部分２４１は該収容室２２１に突出し、しかも該溝１１２と結合する。これにより該駆動ヘッド１は該迅速分解が可能なジョイント２上に固定接続され、しかも気動工具上に結合された迅速分解が可能なジョイント２が回転すると、該駆動ヘッド１も駆動される。
【０００３】
該迅速分解が可能なジョイント２から該駆動ヘッド１を取外すには、使用者は通常は該駆動ヘッド１と該気動工具のグリップを握持し、力を入れ、該二者を引き離す。これにより該ボール２４は該収容室２２１内へと戻り、該駆動ヘッド１は該迅速分解が可能なジョイント２から取外される。しかし、該駆動ヘッド１を該迅速分解が可能なジョイント２から取外す時に、特に該ボール２４が引っ掛かり或いは使用者の手に油が付着している時などには、しばしば困難が起きる。さらに該ばね２３の弾力が低下すると、気動工具の操作時に該駆動ヘッド１は脱落する恐れがある。特に、該駆動ヘッド１が駆動するネジ或いは類似物が深い孔内にある時には、該駆動ヘッド１は退出時に脱落し、深い孔内に引っ掛かってしまう。
【考案の開示】
【考案が解決しようとする課題】
【０００４】
本考案が解決しようとする課題は、駆動ヘッドは気動工具に堅固に装置され、しかも駆動ヘッドは簡単に気動工具より取外され、交換することができる迅速分解が可能なジョイント構造を提供することである。
【０００５】
上記課題を解決するため、本考案は下記の迅速分解が可能なジョイント構造を提供する。迅速分解が可能なジョイント構造は軸棒、スリーブ、ボール、ばねを含み、
該軸棒は気動工具上に装置可能な第一端と第二端を備え、該第二端上には凹部を形成し、該凹部は該第二端の端面に接近し第一比較的浅い接触段と第二比較的深い接触段を含み、該スリーブは第一端、及び駆動ヘッドを装置可能な第二ヘッド、及び該第一端と該第二端を貫通し、しかも該軸棒を貫通させる軸孔を含み、該スリーブの第二端はさらに該軸孔と連通する径方向孔を含み、該径方向孔は該軸棒の凹部に対応し、該ボールは該スリーブの径方向孔中において径方向に沿って移動し、しかも該軸棒の軸方向に沿って移動し該軸棒の凹部内において収納され、該軸棒と該スリーブを結合し、該ばねは該スリーブの軸方向孔中に装置され、しかも該スリーブは該軸棒の第二端に向って偏置し、該スリーブは該軸棒の軸方向に沿って該軸棒に相対し、該ばねの偏圧を受ける第一位置及び該ばねを圧縮する第二位置の間において移動し、該スリーブが該第一位置まで移動すると、該ボールは該凹部の第一接触段に位置し、しかも該ボールの外側部分は該径方向孔に突出し、しかも該スリーブが該圧縮ばねの第二位置まで移動すると、該ボールは該凹部の第二接触段に位置し、しかも該径方向孔に突出せず、こうして該駆動ヘッドと該迅速分解が可能なジョイントを分離することができ、ある実施例においては、該スリーブ第一端の軸方向孔内には拡大部を形成し、しかも該拡大部は端面を備え、該軸棒はさらにその第一端と第二端の間に肩部を含み、該ばねは該拡大部内に位置し、しかも該軸棒の肩部に抵触する第一端と、該拡大部の端面上に抵触する第二端を備え、該駆動ヘッドは連接孔を備えるスリーブ部と駆動端を備え、該連接孔は該スリーブの第二端に結合し、しかも該連接孔の周囲には凹槽を備え、該スリーブが該第一位置まで移動すると、該ボールの突出し径方向孔の外側部分は該溝内に結合する。
【課題を解決するための手段】
【０００６】
請求項１の考案は、軸棒、スリーブ、ボール及びばねを含み、
該軸棒は気動工具上に装置可能な第一端と第二端を備え、該第二端上には凹部を形成し、該凹部は第一接触段と第二接触段を含み、該第二接触段は該第一接触段の底端から該第一端に向って延伸し、
該スリーブはスライド可能状態で該軸棒上に嵌合し、しかも第一端及び駆動ヘッドを装置可能な第二ヘッドを含み、該スリーブは該第一端と該第二端を貫通し、しかも該軸棒を貫通させる軸孔を含み、該スリーブの第二端はさらに該軸孔と連通する径方向孔を含み、該径方向孔は該軸棒の凹部に対応し、
該ボールは該スリーブの径方向孔中において径方向に沿って移動し、しかも該ボールは軸方向に移動し、該軸棒の凹部内に収納され、該軸棒と該スリーブは結合し、
該ばねは該スリーブの軸方向孔中に装置され、該スリーブは該軸棒の第二端を偏置し、
該スリーブは該軸棒の軸方向に沿って該軸棒に相対し、該ばねの偏圧を受ける第一位置及び該ばねを圧縮する第二位置の間において移動し、該スリーブが該第一位置まで移動すると、該ボールは該凹部の第一接触段に位置し、しかも該ボールの外側部分は該径方向孔に突出し、該スリーブが該第二位置まで移動すると、該ボールは該凹部の第二接触段に位置し、しかも該径方向孔に突出しないことを特徴とする迅速分解が可能なジョイント構造としている。
請求項２の考案は、前記スリーブの第一端の軸方向孔内には拡大部を形成し、しかも該拡大部は端面を備え、該軸棒はさらにその第一端と第二端の間に肩部を含み、該ばねは該拡大部内に位置し、しかも該軸棒の肩部上に抵触する第一端、及び該拡大部の端面上に抵触する第二端を備えることを特徴とする請求項１記載の迅速分解が可能なジョイント構造としている。
請求項３の考案は、前記駆動ヘッドは連接孔を備えるスリーブ部と駆動端を含み、該連接孔は該スリーブの第二端に結合し、しかも該連接孔の周囲には凹槽を備え、該スリーブが該第一位置まで移動すると、該ボールは該径方向の外側部分に突出し該凹槽内に結合することを特徴とする請求項１記載の迅速分解が可能なジョイント構造としている。
【考案の効果】
【０００７】
上記のように、本考案迅速分解が可能なジョイントから駆動ヘッドを取外す時には、使用者は駆動ヘッドを握り、力を入れスリーブを押し後退の第二位置まで移動させるだけで、ボールは駆動ヘッドの溝と結合しなくなる。この時、使用者がスリーブの第一端を握り、駆動ヘッドを握持していた圧力を釈放するだけで、駆動ヘッドを簡単に取外すことができる。
【考案を実施するための最良の形態】
【０００８】
本考案の他の目的、長所、特徴について、以下に最適実施例をあげ、図を合わせて説明する。
以下に具体的実施例に図を合わせて、本考案の最適構造内容について説明する。具体的実施例は例として示すのみで、本考案に制限を加えるものではない。
図２、４に示すように、本考案最適実施例を構成する迅速分解が可能なジョイント４は軸棒４１、該軸棒４１上にスライド可能状態で嵌合するスリーブ４２、ボール４４、ばね４３を含む。
該軸棒４１は第一端４１１と第二端４１２を含む。該第一端４１１上には環状槽４１３を備え、これにより該軸棒４１は気動工具５上に装置される(図５参照)。該第二端４１２上には凹部４１５を備え、該凹部４１５は該第二端４１２に近接する端面４１８、第一接触段４１６、第二接触段４１７を含む。該第一接触段４１６は概ね傾斜を呈し、しかもその深度は該第二接触段４１７より浅い。該第二接触段４１７は該第一接触段４１６底端から該第一端４１１へと延伸する。該第二端４１２周囲は該第一端４１１周囲より小さく、該第一端４１１と該第二端４１２間には肩部４１４を形成する。
【０００９】
該スリーブ４２は該軸棒４１上においてスライド可能状態で嵌合し、しかも第一端４２１と駆動ヘッド３を装置可能な第二端４２２を含む。該スリーブ４２はさらに該第一端４２１と該第二端４２２を貫通し、しかも該軸棒４１を貫通させることができる軸孔を含む。
該第一端４２１の外周囲には数本の溝４２８を備え、これにより使用者は便利に握持することができる。該第一端４２１の軸孔４２３内には拡大部４２４を形成し、しかも該拡大部４２４は端面４２７を備える。
該スリーブ４２の第二端４２２はさらに該軸孔４２３と連通する径方向孔４２５を含み、該径方向孔４２５は該軸棒４１の凹部４１５に対応する。本実施例中では、該スリーブ４２第二端４２２の断面は概ね四角形を呈し、しかも該第一端４２１と該第二端４２２間には径方向フランジ４２６を形成する。
【００１０】
該駆動ヘッド３は連接孔３１１を備えるスリーブ部３１及び駆動端３２を含む。該連接孔３１１の断面は概ね四角形を呈し、しかも該スリーブ４２の第二端４２２に結合する。該駆動ヘッド３は該連接孔３１１の周囲において凹槽３１２を備える。
【００１１】
該ボール４４は該スリーブ４２の径方向孔４２５中において径方向に沿って移動し、リング４５は該径方向孔４２５の外端内に装置される。該リング４５の直径は該ボール４４の直径より小さく、これにより該ボール４４の一部だけが該径方向孔４２５に突出する。該ボール４４は該軸棒４１の軸方向に沿って移動し、該軸棒４１凹部４１５内に収納され、該軸棒４１と該スリーブ４２は結合する。
【００１２】
該ばね４３は該スリーブ４２の軸孔４２３中に装置され、しかも該スリーブ４２を該軸棒４１の第二端４１２へと偏置し、これにより該スリーブ４２は該軸棒４１の軸方向に沿って該軸棒４１に相対し、該ばね４３の偏置を受ける前伸第一位置(図４参照)及び該ばね４３を圧縮し後退させる第二位置の間において移動する(図８参照)。
本実施例中では、該ばね４３は該拡大部４２４内に位置し、しかも該軸棒４１の肩部４１４上に抵触する第一端４３１と、該拡大部４２４の端面４２７上に抵触する第二端４３２を備える。
【００１３】
図４に示すように、該スリーブ４２は該第一位置まで移動すると、該スリーブ４２は該ボール４４を押し該凹部４１５の第一接触段４１６まで移動させる。該第一接触段４１６の深度は、該ボール４４が該凹部４５の第一接触段４１６に至る時、該ボール４４の外側部分４４１が該径方向孔４２５或いは該第二端４２２の表面に突出するように設定されている。図７に示すように、該スリーブ４２は該後退の第二位置まで移動すると、該ボール４４は該凹部４１５の第一接触段４１６から第二接触段４１７へと移動する。該第二接触段４１７の深度は、該ボール４４が該凹部４１５の第二接触段４１７に至る時、該ボール４４は該径方向孔４２５或いは該第二端４２２の表面に突出しないように設定されている。
【００１４】
該駆動ヘッド３と該迅速分解が可能なジョイント４の結合に関して、図７に示すように、該駆動ヘッド３が最初該迅速分解が可能なジョイント４に装置される時、該駆動ヘッド３連接孔３１１の側壁は該ボール４４を圧縮し、しかも該スリーブ４２を該軸棒４１に相対し内側へと押し、該ばね４３を圧縮する。さらに図８は、該スリーブ４２が該後退の第二位置まで移動し、さらに該ばね４３を圧縮する様子を示し、しかも該ボール４４が該第一接触段４１６から該第二接触段４１７へと移動する様子を示す。この時、該ボール４４は該スリーブ４２の第二端４２２内に完全に縮入し、これにより該第二端４２２は該駆動ヘッド３の内部にさらに進入する。続いて図９は、該駆動ヘッド３がさらに移動し該スリーブ４２の径方向フランジ４２６に接触する様子を示し、しかも該ボール４４と該駆動ヘッド３の凹槽３１２が対応する様子を示す。次に、該駆動ヘッド３上の圧力が解除されると、該ばね４３は該スリーブ４２と該駆動ヘッド３を偏置し該前伸の第一位置まで一緒に移動させる。図２に示すように、この位置において、該ボール４４は該凹部４１５の第一接触段４１６に定位され、しかも該駆動ヘッド３の凹槽３１２と結合する。このため、該駆動ヘッド３は該迅速分解が可能なジョイント４上において堅固に結合され(図６参照)、しかも気動工具５上に装置される迅速分解が可能なジョイント４が回転すると、該駆動ヘッド３も駆動される。
【００１５】
該駆動ヘッド３の連接孔３１１は、該軸棒４１の第二端４１２を移動させることができるだけの、予め設定された深度を備える。これにより該駆動ヘッド３は該スリーブ４２第二端４２２において結合し、しかも該スリーブ４２が後退の第二位置まで移動すると、該駆動ヘッド３の凹槽３１２は該凹部４１５の第二接触段４１７に対応する。
該迅速分解が可能なジョイント３から該駆動ヘッド３を取外す時には、図２及び図９に示すように、使用者は該駆動ヘッド３を握り、力を入れ該スリーブ４２を押し該後退の第二位置まで移動させるだけで、該ボール４４は該駆動ヘッド３の溝３１２と結合しなくなる。この時、使用者が該スリーブ４２の第一端４２１を握り、該駆動ヘッド３を握持していた圧力を釈放すれば、該駆動ヘッド３を簡単に取外すことができる。
【００１６】
前記は本考案構造の最適実施例についての説明で、本考案はその設計精神に基づき多種の変化或いは修正を行うことができる。さらに該項技術の習熟者は明確な入れ替えと修飾を行うことができるが、それらもすべて本考案が主張する実用新案請求の範囲に含むものとする。
【図面の簡単な説明】
【００１７】
【図１】駆動ヘッドが迅速分解が可能なジョイント上に装置される様子を示す公知の迅速分解が可能なジョイントの局部断面平面図である。
【図２】駆動ヘッドが迅速分解が可能なジョイント上に装置される様子を示す本考案の迅速分解が可能なジョイントの断面図である。
【図３】図２の迅速分解が可能なジョイントと駆動ヘッドの立体分解図である。
【図４】図２の迅速分解が可能なジョイントと駆動ヘッドの組合せ前の断面図である。
【図５】図２の迅速分解が可能なジョイントと駆動ヘッドを気動工具に装置する様子の指示図である。
【図６】図２の６−６線における断面図である。
【図７】迅速分解が可能なジョイントと駆動ヘッドの初期装置状態を示す図４と類似の断面図である。
【図８】迅速分解が可能なジョイントのスリーブが後退の位置まで移動し、しかもボールが駆動ヘッド内に位置する図７と類似の断面図である。
【図９】駆動ヘッドがさらに前へと移動しスリーブのフランジの位置に接触する図８と類似の断面図である。
【符号の説明】
【００１８】
１  駆動ヘッド
１１  スリーブ部
１１１  連接孔
１１２  溝
１２  駆動部
２  迅速分解が可能なジョイント
２１  第一端
２２  第二端
２２１  収容室
２３  ばね
２４  ボール
２４１  外側部分
３  駆動ヘッド
３１  スリーブ部
３１１  連接孔
３１２  凹槽
３２  駆動部
４  迅速分解が可能なジョイント
４１  軸棒
４１１  第一端
４１２  第二端
４１３  環状槽
４１４  肩部
４１５  凹部
４１６  第一接触段
４１７  第二接触段
４１８  端面
４２  スリーブ
４２１  第一端
４２２  第二端
４２３  軸孔
４２４  拡大部
４２５  径方向孔
４２６  フランジ
４２７  端面
４２８  溝
４３  ばね
４３１  第一端
４３２  第二端
４４  ボール
４４１  外側部分
４５  リング
５  気動工具
５１  ヘッド端
【図１】
0003142140.tif 000003
【図２】
0003142140.tif 000004
【図３】
0003142140.tif 000005
【図４】
0003142140.tif 000006
【図５】
0003142140.tif 000007
【図６】
0003142140.tif 000008
【図７】
0003142140.tif 000009
【図８】
0003142140.tif 000010
【図９】
0003142140.tif 000011